(57)【要約】【課題】画像処理基板と画像信号出力処理基板とがコネクタ接続される場合において、画像信号の伝送時のＳ／Ｎ比を確保しつつ、全体の放射ノイズを抑制することが可能なプロジェクタ用の画像処理システム等を提供すること。【解決手段】画像処理システムが、画像信号処理ＩＣ１１０と、画像信号処理ＩＣ１１０からの画像信号の電圧レベルを第１の電圧レベルから当該第１の電圧レベルよりも高い第２の電圧レベルに変換する画像信号レベル変換ＩＣ１２０と、画像信号レベル変換ＩＣ１２０によって電圧レベルが変換された画像信号を受信側コネクタ２１０に出力する送信側コネクタ１３０を有する画像処理基板１００と、受信側コネクタ２１０と、受信側コネクタ２１０からの画像信号を投写部に出力する画像信号出力処理ＩＣ２２０を有する画像信号出力処理基板２００を含んで構成される。【選択図】図２
2009105783.tif 000002
【特許請求の範囲】
【請求項１】
画像処理基板と、当該画像処理基板からの画像信号を入力する画像信号出力処理基板とを含むプロジェクタ用の画像処理システムにおいて、
前記画像処理基板は、
画像信号処理部と、
前記画像信号処理部からの画像信号の電圧レベルを第１の電圧レベルから当該第１の電圧レベルよりも高い第２の電圧レベルに変換する電圧レベル変換部と、
前記電圧レベル変換部によって電圧レベルが変換された画像信号を受信側コネクタに出力する送信側コネクタと、
を含み、
前記画像信号出力処理基板は、
前記受信側コネクタと、
前記受信側コネクタからの画像信号を投写部に出力する画像信号出力処理部と、
を有する画像信号出力処理基板と、
を含むことを特徴とする画像処理システム。
【請求項２】
請求項１に記載の画像処理システムにおいて、
前記画像処理基板は、前記第１の電圧レベルで動作し、
前記画像信号出力処理基板は、前記第２の電圧レベルで動作することを特徴とする画像処理システム。
【請求項３】
請求項１、２のいずれかに記載の画像処理システムを有するプロジェクタ。
【請求項４】
プロジェクタにおける画像信号伝送方法において、
画像信号処理部からの画像信号の電圧レベルを第１の電圧レベルから当該第１の電圧レベルよりも高い第２の電圧レベルに変換し、
変換した画像信号を、画像処理基板に設けられた送信側コネクタを介して画像信号出力処理基板に設けられた受信側コネクタに出力することを特徴とする画像信号伝送方法。
【発明の詳細な説明】
【技術分野】
【０００１】
本発明は、プロジェクタにおける画像処理システム、プロジェクタおよび画像信号伝送方法に関する。
【背景技術】
【０００２】
画像信号を処理する画像処理回路では信号パターンが単純なパターンになりやすいため放射ノイズが発生しやすい。このような放射ノイズを抑制する手法として、回路やその周辺に本来必要ではないノイズ抑制部品を追加する手法および信号の伝送路を短くする手法が考えられる。しかし、前者の手法では構成が複雑になる上、製造コストが上がってしまう問題があり、後者の手法では基板設計の自由度が低下してしまう問題がある。
【０００３】
また、これらの手法以外の手法として、特開平６−１４１８７号公報に記載されているように画像信号の電圧レベルを圧縮する手法が考えられる。
【特許文献１】特開平６−１４１８７号公報
【発明の開示】
【発明が解決しようとする課題】
【０００４】
しかし、特開平６−１４１８７号公報の手法は、画像信号の電圧レベルを圧縮してから画像信号をケーブルで伝送した後、電圧レベルを元の電圧レベルに伸張する必要があり、電圧レベルの変換時のノイズ発生やエネルギー損失の問題がある。また、当該手法のように伝送時の電圧レベルを圧縮してしまうと信号のＳ／Ｎ比（シグナル・ノイズ比）が低下してしまうという問題がある。
【０００５】
本発明の目的は、画像処理基板と画像信号出力処理基板とがコネクタ接続される場合において、画像信号の伝送時のＳ／Ｎ比を確保しつつ、全体の放射ノイズを抑制することが可能なプロジェクタ用の画像処理システム、プロジェクタおよび画像信号伝送方法を提供することにある。
【課題を解決するための手段】
【０００６】
上記課題を解決するため、本発明に係る画像処理システムは、画像処理基板と、当該画像処理基板からの画像信号を入力する画像信号出力処理基板とを含むプロジェクタ用の画像処理システムにおいて、前記画像処理基板は、画像信号処理部と、前記画像信号処理部からの画像信号の電圧レベルを第１の電圧レベルから当該第１の電圧レベルよりも高い第２の電圧レベルに変換する電圧レベル変換部と、前記電圧レベル変換部によって電圧レベルが変換された画像信号を受信側コネクタに出力する送信側コネクタと、を含み、前記画像信号出力処理基板は、前記受信側コネクタと、前記受信側コネクタからの画像信号を投写部に出力する画像信号出力処理部と、を有する画像信号出力処理基板と、を含むことを特徴とする。
【０００７】
また、本発明に係るプロジェクタは、上記画像処理システムを有することを特徴とする。
【０００８】
また、本発明に係る画像信号伝送方法は、プロジェクタにおける画像信号伝送方法において、画像信号処理部からの画像信号の電圧レベルを第１の電圧レベルから当該第１の電圧レベルよりも高い第２の電圧レベルに変換し、変換した画像信号を、画像処理基板に設けられた送信側コネクタを介して画像信号出力処理基板に設けられた受信側コネクタに出力することを特徴とする。
【０００９】
本発明によれば、画像処理システム等は、コネクタを介した信号伝送の直前で画像信号の電圧レベルを第１の電圧レベルから当該第１の電圧レベルよりも高い第２の電圧レベルに変換することにより、画像処理基板と画像信号出力処理基板とがコネクタ接続される場合において、画像信号の伝送時のＳ／Ｎ比を確保しつつ、全体の放射ノイズを抑制することができる。
【００１０】
また、前記画像処理基板は、前記第１の電圧レベルで動作し、前記画像信号出力処理基板は、前記第２の電圧レベルで動作してもよい。
【００１１】
これによれば、画像処理システム等は、画像処理基板を低電圧で動作させることにより、画像処理基板で発生する放射ノイズを抑制しつつ、画像信号出力処理基板を任意の電圧で動作させることにより、種々の信号処理を実行することができる。
【発明を実施するための最良の形態】
【００１２】
以下、本発明をプロジェクタ内の画像処理システムに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１３】
図１は、本実施例におけるプロジェクタ１０の投写状態を示す図である。プロジェクタ１０は、前面投写型のプロジェクタであり、スクリーン２０へ向け画像３０を投写する。プロジェクタ１０は、画像信号を入力する画像信号入力ユニットと、入力された画像信号に対して画像信号処理（例えば、色補正処理、明るさ補正処理、台形歪み補正処理等）を実行する画像処理ユニット（画像処理システム）と、処理された画像信号に基づいて画像３０を投写する投写ユニット（投写部）を含んで構成されている。
【００１４】
また、本実施例の画像処理システムは、基板間の画像信号の伝送時のＳ／Ｎ比を確保しつつ、装置全体の放射ノイズを抑制するように構成されている。次に、画像処理システムの構成について説明する。
【００１５】
図２は、本実施例における画像処理システムの側面断面図である。また、図３は、本実施例における画像処理基板１００の平面図である。また、図４は、本実施例における画像信号出力処理基板２００の平面図である。
【００１６】
画像処理システムは、画像処理基板１００と、画像信号出力処理基板２００を含んで構成されている。また、画像処理基板１００と画像信号出力処理基板２００とは送信側コネクタ１３０と受信側コネクタ２１０によって信号伝送可能な状態で接続されるとともに、支持部３００によって支持されている。
【００１７】
また、画像処理基板１００は、画像信号処理部として機能する画像信号処理ＩＣ１１０と、画像信号の電圧レベルを第１の電圧レベルから当該第１の電圧レベルよりも高い第２の電圧レベルに変換する電圧レベル変換部として機能する画像信号レベル変換ＩＣ１２０と、電圧レベルが変換された画像信号を受信側コネクタ２１０に出力する送信側コネクタ１３０を含んで構成されている。
【００１８】
また、画像信号出力処理基板２００は、受信側コネクタ２１０と、受信側コネクタ２１０からの画像信号を投写部に出力する画像信号出力処理部２２０を含んで構成されている。
【００１９】
本実施例では、画像処理基板１００は、低電圧（例えば、＋１．８Ｖ等）で動作する。これにより、通常電圧（例えば、＋３．３Ｖ等）で画像処理基板１００が駆動される場合と比べて全体的な放射ノイズを抑制することができ、画像信号処理ＩＣ１１０と画像信号レベル変換ＩＣ１２０を接続する信号伝送路を通常電圧駆動の場合と比べて長くすることが可能になる。
【００２０】
また、画像処理基板１００は、低電圧駆動により放射ノイズを抑制することができるため、図２に示すように、画像処理基板１００と画像信号出力処理基板２００がほぼ平行な状態で配置される場合であっても、画像信号出力処理基板２００と画像処理基板１００との間隔が狭い状態で画像処理基板１００と画像信号出力処理基板２００が配置されることが可能になる。
【００２１】
次に、画像処理基板１００と画像信号出力処理基板２００における画像信号伝送手順について説明する。図５は、本実施例における画像信号伝送手順を示すフローチャートである。
【００２２】
まず、画像信号処理ＩＣ１１０は、画像信号レベル変換ＩＣ１２０に低電圧（例えば、＋１．８Ｖ等）で画像信号を出力する（ステップＳ１）。
【００２３】
画像信号レベル変換ＩＣ１２０は、当該画像信号の電圧レベル（第１の電圧レベル）を画像信号出力処理基板２００の駆動電圧（第２の電圧レベル）に合わせて変換する（ステップＳ２）。具体的には、例えば、画像信号レベル変換ＩＣ１２０は、電圧レベルを＋１．８Ｖから＋３．３Ｖに変換する。
【００２４】
送信側コネクタ１３０は、画像信号レベル変換ＩＣ１２０によって電圧レベルが変換された画像信号を受信側コネクタ２１０に出力する（ステップＳ３）。画像信号出力処理ＩＣ２２０は、受信側コネクタ２１０からの画像信号を投写部に出力する（ステップＳ４）。
【００２５】
以上のように、本実施例によれば、画像処理システムは、コネクタを介した信号伝送の直前で画像信号の電圧レベルを第１の電圧レベルから当該第１の電圧レベルよりも高い第２の電圧レベルに変換することにより、画像処理基板１００と画像信号出力処理基板２００とがコネクタ接続される場合において、画像信号の伝送時のＳ／Ｎ比を確保しつつ、全体の放射ノイズを抑制することができる。
【００２６】
また、本実施例によれば、画像処理システムは、画像処理基板１００を低電圧で動作させることにより、画像処理基板１００で発生する放射ノイズを抑制しつつ、画像信号出力処理基板２００を通常電圧で動作させることにより、種々の信号処理を実行することができる。
【００２７】
また、本実施例によれば、画像処理システムは、全体の放射ノイズを抑制することにより、画像処理基板１００と画像信号出力処理基板２００との間隔を狭く形成することができるため、画像処理システム全体の大きさを小さくすることができる。また、本実施例によれば、画像処理システムは、全体の放射ノイズを抑制することにより、画像信号処理ＩＣ１１０と画像信号レベル変換ＩＣ１２０との間隔を狭くする必要がなくなるため、画像処理基板１００における回路設計の自由度を高めることができる。
【００２８】
なお、本発明の適用は上述した実施例に限定されず、種々の変形が可能である。例えば、プロジェクタ１０は、前面投写型のプロジェクタには限定されず、背面投写型のプロジェクタ（例えば、リアプロジェクタ、プロジェクションテレビ等）であってもよい。
【００２９】
また、プロジェクタ１０は、液晶プロジェクタ、ＤＭＤ(Digital Micromirror Device)を用いたプロジェクタ等であってもよい。なお、ＤＭＤは米国テキサス・インスツルメンツ社の商標である。また、プロジェクタ１０の機能を複数の装置（例えば、ＰＣとプロジェクタ等）に分散して実装してもよい。
【図面の簡単な説明】
【００３０】
【図１】本実施例におけるプロジェクタの投写状態を示す図である。
【図２】本実施例における画像処理システムの側面断面図である。
【図３】本実施例における画像処理基板の平面図である。
【図４】本実施例における画像信号出力処理基板の平面図である。
【図５】本実施例における画像信号伝送手順を示すフローチャートである。
【符号の説明】
【００３１】
１０  プロジェクタ、２０  スクリーン、３０  画像、１００  画像処理基板、１１０  画像信号処理ＩＣ（画像信号処理部）、１２０  画像信号レベル変換ＩＣ（電圧レベル変換部）、１３０  送信側コネクタ、２００  画像信号出力処理基板、２１０  受信側コネクタ、２２０  画像信号出力処理ＩＣ（画像信号出力処理部）、３００  支持部
【図１】
2009105783.tif 000003
【図２】
2009105783.tif 000004
【図３】
2009105783.tif 000005
【図４】
2009105783.tif 000006
【図５】
2009105783.tif 000007